(57)【要約】      （修正有）【課題】光学性能を低下させることなく、耐衝撃性（バンダル性能）の向上を図る。【解決手段】レンズ３０２と、レンズ３０２によって取り込んだ外光を撮像する撮像素子と、カメラケース１１１と、開口部を備えた金属カバー１２１と、金属カバー１２１部をカメラケース１１１に固定するねじ１０１およびねじ穴３０３、３０４と、カメラケース１１１に固定された状態の金属カバー１２１によって当該カメラケース１１１に固定されるドーム状カバー１２２と、を備え、カメラケース１１１を、金属カバー１２１を固定した状態において当該金属カバー１２１部に当接するように配置し、当該金属カバー１２１との当接部分を少なくとも金属によって形成した。【選択図】図５
2013148634.tif 000002
【特許請求の範囲】
【請求項１】
外光を取り込むレンズと、前記レンズによって取り込んだ外光を撮像する撮像素子と、を備えたカメラであって、
前記レンズを保持するベース部と、
外光を透過させる開口部を備え、前記ベース部に対して当該ベース部の物体側から光軸に沿って挿脱可能な金属カバー部と、
前記金属カバー部を前記ベース部に固定する固定手段と、
外光を透過させ、前記レンズを物体側から覆うドームカバーと、
を備え、
前記ベース部は、前記固定手段によって前記金属カバー部を前記ベース部に固定した状態において前記金属カバー部に当接するように配置され、当該金属カバー部との当接部分が少なくとも金属によって形成されることを特徴とするカメラ。
【請求項２】
前記ベース部は、前記ドームカバーを取り付ける位置決め部を備え、
前記ドームカバーを前記ベース部の位置決め部に取り付けた状態で、前記金属カバー部を光軸に沿って物体側から前記ベース部に挿嵌し、前記金属カバー部を前記ベース部に固定することにより、前記ドームカバーの位置決めをおこなう位置決め手段を備えたことを特徴とする請求項１に記載のカメラ。
【請求項３】
前記位置決め部に設けられ、前記ドームカバーを、光軸に沿って物体側に付勢する付勢手段を備えたことを特徴とする請求項２に記載のカメラ。
【請求項４】
前記位置決め手段は、前記ドームカバーに設けられて光軸を中心とする径方向に突出する突起部と、前記金属カバー部の開口部の外周側に設けられて前記突起部と当接する突起受け部と、によって構成されることを特徴とする請求項２または３に記載のカメラ。
【請求項５】
前記固定手段は、前記金属カバー部および前記ベース部に設けられたねじ穴と、当該ねじ穴に螺合されるねじと、によって構成されることを特徴とする請求項１〜４のいずれか一つに記載のカメラ。
【請求項６】
外光を取り込むレンズと、前記レンズによって取り込んだ外光を撮像する撮像素子と、を備えたカメラであって、
前記レンズを保持するベース部と、
外光を透過させる開口部を備え、前記ベース部に対して当該ベース部の物体側から光軸に沿って挿脱可能な金属カバー部と、
前記金属カバー部を前記ベース部に固定する固定手段と、
外光を透過させ、前記レンズを物体側から覆うドームカバーと、
前記金属カバー部の像面側または前記ベース部の物体側に設けられた伝熱手段と、
を備え、
前記伝熱手段は、前記固定手段によって前記金属カバー部を前記ベース部に固定した状態において、像面側の端面および物体側の端面が、それぞれ、前記ベース部の物体側と前記金属カバー部の像面側とに当接するように配置され、
前記ベース部は、前記金属カバー部との当接部分が少なくとも金属によって形成されることを特徴とするカメラ。
【発明の詳細な説明】
【技術分野】
【０００１】
この発明は、レンズを保護するドーム状カバーを備えたカメラに関する。
【背景技術】
【０００２】
従来の監視用カメラに比較して、近年、撮像素子の高画素化に伴って、画像処理の容量が増えることにより、発熱量が大幅に増え、従来の監視用カメラの構成では放熱に対応しきれなくなるという問題があった。
【０００３】
上記の問題を解決するために、従来、天井に孔を空け、ドームカメラの一部を壁裏の開放空間に露出することで、空気対流放熱による効果的な放熱が可能となる技術が提案された（たとえば、下記特許文献１を参照）。
【先行技術文献】
【特許文献】
【０００４】
【特許文献１】特開２０１０−８１５４５号公報
【発明の概要】
【発明が解決しようとする課題】
【０００５】
しかしながら、上述したように、壁に孔を空け、カメラの一部を壁裏の開放空間に露出させる必要があるため、カメラの配置自由度が低下する課題があった。また、孔を空ける手間が発生してしまう課題があった。
【０００６】
この発明は、上述した従来技術による問題点を解消するため、カメラの配置自由度を低下させることなく、かつ、取り付け部に孔を空けることなく、カバー部が筐体部に対して挿脱可能であり、高画素化に伴い、画像処理の容量増加により生じた熱を筐体外に放出するとともに、放熱性能の低下に起因する画像処理性能の低下を抑制することができるカメラを提供することを目的とする。
【課題を解決するための手段】
【０００７】
上述した課題を解決し、目的を達成するため、この発明にかかるカメラは、外光を取り込むレンズと、前記レンズによって取り込んだ外光を撮像する撮像素子と、を備えたカメラであって、前記レンズを保持するベース部と、外光を透過させる開口部を備え、前記ベース部に対して当該ベース部の物体側から光軸に沿って挿脱可能な金属カバー部と、前記金属カバー部を前記ベース部に固定する固定手段と、外光を透過させ、前記レンズを物体側から覆うドームカバーと、を備え、前記ベース部が、前記固定手段によって前記金属カバー部を前記ベース部に固定した状態において前記金属カバー部に当接するように配置され、当該金属カバー部との当接部分が少なくとも金属によって形成されることを特徴とする。
【０００８】
また、この発明にかかるカメラは、上記の発明において、前記ベース部が、前記ドームカバーを取り付ける位置決め部を備え、前記ドームカバーを前記ベース部の位置決め部に取り付けた状態で、前記金属カバー部を光軸に沿って物体側から前記ベース部に挿嵌し、前記金属カバー部を前記ベース部に固定することにより、前記ドームカバーの位置決めをおこなう位置決め手段を備えたことを特徴とする。
【０００９】
また、この発明にかかるカメラは、上記の発明において、前記位置決め部に設けられ、前記ドームカバーを、光軸に沿って物体側に付勢する付勢手段を備えたことを特徴とする。
【００１０】
また、この発明にかかるカメラは、上記の発明において、前記位置決め手段が、前記ドームカバーに設けられて光軸を中心とする径方向に突出する突起部と、前記金属カバー部の開口部の外周側に設けられて前記突起部と当接する突起受け部と、によって構成されることを特徴とする。
【００１１】
また、この発明にかかるカメラは、上記の発明において、前記固定手段が、前記金属カバー部および前記ベース部に設けられたねじ穴と、当該ねじ穴に螺合されるねじと、によって構成されることを特徴とする。
【００１２】
また、この発明にかかるカメラは、外光を取り込むレンズと、前記レンズによって取り込んだ外光を撮像する撮像素子と、を備えたカメラであって、前記レンズを保持し、当該レンズを透過した外光以外の外光の当該レンズへの入射を遮断するベース部と、外光を透過させる開口部を備え、前記ベース部に対して当該ベース部の物体側から光軸に沿って挿脱可能な金属カバー部と、前記金属カバー部を前記ベース部に固定する固定手段と、外光を透過させ、前記レンズを物体側から覆うドームカバーと、前記金属カバー部の像面側または前記ベース部の物体側に設けられた伝熱手段と、を備え、前記伝熱手段が、前記固定手段によって前記金属カバー部を前記ベース部に固定した状態において、像面側の端面および物体側の端面が、それぞれ、前記ベース部の物体側と前記金属カバー部の像面側とに当接するように配置され、前記ベース部が、前記金属カバー部との当接部分が少なくとも金属によって形成されることを特徴とする。
【発明の効果】
【００１３】
この発明にかかるカメラによれば、カメラの設置位置を問うことなく、高画素化に伴い、画像処理の容量増加により生じた熱を放出するとともに、放熱性能の低下に起因する画像処理性能の低下を抑制することができるという効果を奏する。
【図面の簡単な説明】
【００１４】
【図１】この発明にかかる実施の形態の監視用カメラの構成を示す説明図（その１）である。
【図２】この発明にかかる実施の形態の監視用カメラの構成を示す説明図（その２）である。
【図３】この発明にかかる実施の形態の監視用カメラの構成を示す説明図（その３）である。
【図４】この発明にかかる実施の形態の監視用カメラの構成を示す説明図（その４）である。
【図５】この発明にかかる実施の形態の監視用カメラの構成を示す説明図（その５）である。
【図６】この発明にかかる実施の形態の監視用カメラの構成を示す説明図（その６）である。
【図７】この発明にかかる実施の形態の監視用カメラの、ドーム状カバーを取り外した状態を示す説明図（その１）である。
【図８】この発明にかかる実施の形態の監視用カメラの、ドーム状カバーを取り外した状態を示す説明図（その２）である。
【図９】この発明にかかる実施の形態の監視用カメラの、ドーム状カバーを取り外した状態を示す説明図（その３）である。
【図１０】この発明にかかる実施の形態の監視用カメラの、ドーム状カバーを取り外した状態を示す説明図（その４）である。
【発明を実施するための形態】
【００１５】
以下に添付図面を参照して、この発明にかかるカメラの好適な実施の形態を詳細に説明する。この実施の形態においては、監視用途に用いられる監視用カメラへの適用例を示す。
【００１６】
（監視用カメラの構成）
まず、この発明にかかる実施の形態の監視用カメラの構成について説明する。図１、図２、図３、図４、図５および図６は、この発明にかかる実施の形態の監視用カメラの構成を示す説明図である。
【００１７】
図１においては、この発明にかかる実施の形態の監視用カメラの斜視状態を示している。図２においては、この発明にかかる実施の形態の監視用カメラを、図１における矢印Ａ方向から見た状態を示している。図３においては、この発明にかかる実施の形態の監視用カメラを、一部分解して、物体側から見た状態を示している。図４においては、この発明にかかる実施の形態の監視用カメラを、一部分解して、像面側から見た状態を示している。図５においては、この発明にかかる実施の形態の監視用カメラの、図２におけるＢ１−Ｂ１断面を示している。図６においては、この発明にかかる実施の形態の監視用カメラの、図２におけるＢ２−Ｂ２断面を示している。
【００１８】
図１、図２、図３、図４、図５および図６において、この発明にかかる実施の形態の監視用カメラ１００は、カメラ本体１１０と、カバー部１２０と、を備えている。カメラ本体１１０は、略円柱形状をなすカメラケース１１１を備えている。この実施の形態においては、カメラケース１１１によってベース部を実現することができる。
【００１９】
カメラケース１１１の軸心は、監視用カメラ１００の光軸と略一致している。カメラケース１１１は、軸心方向の一端面（像面側の面）を天井などに対向させた状態で、当該天井などに取り付けられる。カメラケース１１１において、軸心方向の他端側（物体側の面）には、物体側に突出する段差部３０１とレンズ３０２とが設けられている。段差部３０１は、カメラケース１１１の外周縁がなす円の外径より小さい外径の略円筒形状をなす。段差部３０１の軸心は、監視用カメラ１００の光軸と略一致している。
【００２０】
レンズ３０２は、段差部３０１の中心部分に設けられており、段差部３０１の軸心方向における物体側の端面より物体側に突出している。レンズ３０２の光軸は、監視用カメラ１００の光軸と一致している。レンズ３０２は、たとえば、魚眼レンズなどと称される広角レンズによって実現することができる。カメラケース１１１の内側には、レンズ３０２によって取り込んだ外光を撮像する撮像素子（図示を省略する）が設けられている。
【００２１】
カメラケース１１１において、軸心方向における物体側の面であって段差部３０１の外周部には、ねじ穴３０３が設けられている。ねじ穴３０３は、光軸を中心とする同心円上に複数（この実施の形態においては３つ）設けられている。複数のねじ穴３０３は、光軸を中心とする同心円上において、等間隔に設けられている。
【００２２】
カバー部１２０は、軸心方向において、カメラケース１１１の物体側の面に対して、当該カメラケース１１１に対して取り外し可能に取り付けられる。カバー部１２０は、金属カバー１２１とドーム状カバー１２２とを備えている。金属カバー１２１は、外周縁がカメラケース１１１の直径寸法と略同一の円形状であって、内側に円形の開口部１２１ａを備えている。
【００２３】
開口部１２１ａは、光軸を中心とする円形状をなす。金属カバー１２１は、ねじ穴３０４を備えている。金属カバー１２１に設けられたねじ穴３０４は、光軸を中心とする同心円上に複数（この実施の形態においては３つ）設けられており、かつ、光軸を中心とする同心円上において、等間隔に設けられている。
【００２４】
また、金属カバー１２１に設けられたねじ穴３０４は、カメラケース１１１に設けられたねじ穴３０３と同径の円周上に、カメラケース１１１に設けられたねじ穴３０３と同数設けられている。これにより、カメラケース１１１に金属カバー１２１を取り付けた状態においては、光軸方向において、カメラケース１１１に設けられたねじ穴３０３と金属カバー１２１に設けられたねじ穴３０４とが重複する。
【００２５】
金属カバー１２１は、中心部（光軸側）ほど物体側に突出するように、光軸に対して傾斜するテーパー形状をなす。金属カバー１２１がなすテーパー形状は、カメラケース１１１に取り付けられた状態のレンズ３０２の最大画角を規定する仮想線（図５および図６における符号５００を参照）よりもテーパー面が外側に位置する程度に、光軸に対して傾斜している。
【００２６】
ドーム状カバー１２２は、光透過性を有する材料を用いて形成され、半球形状（ドーム形状）をなす。具体的には、ドーム状カバー１２２は、たとえば、透光性を有するプラスチックなどの高分子材料を用いて形成することができる。ドーム状カバー１２２を、透光性を有するスモークがかかった材料を用いて形成することにより、監視用カメラ１００を設置した状態において当該監視用カメラ１００のレンズ３０２を視認しにくくすることができる。
【００２７】
ドーム状カバー１２２は、金属カバー１２１とは別体とされ、金属カバー１２１に対して分離可能とされている。ドーム状カバー１２２は、半球形状の端面がなす円の縁部分に設けられた鍔部３０５を備えている。鍔部３０５は、半球形状の端面がなす円の半径方向に沿って、当該円の外周側に突出しており、リング形状をなす。
【００２８】
上記の金属カバー１２１の開口部１２１ａの開口径は、ドーム状カバー１２２半球形状の端面がなす円の外形寸法と略同一とされている。上記のように、鍔部３０５は、ドーム状カバー１２２の半球形状の端面がなす円の縁部分から、当該円の外周側に突出している。この実施の形態において、鍔部３０５は、ドーム状カバー１２２に設けられて、光軸を中心とする径方向に突出する突起部を実現することができる。
【００２９】
金属カバー１２１の開口部１２１ａの周縁には、突起受け部４０２が設けられている。突起受け部４０２は、環形状をなし、その内径が鍔部３０５の外径より小さく形成されている。このため、この実施の形態においては、突起部を実現する鍔部３０５と、突起受け部４０２と、によって位置決め手段を実現することができる。
【００３０】
このため、鍔部３０５をカメラケース１１１に突き当てた状態のドーム状カバー１２２に、当該ドーム状カバー１２２の半球状の部分を開口部１２１ａから物体側に突出させるようにして金属カバー１２１を被せると、鍔部３０５は、カメラケース１１１と金属カバー１２１との間に挟持される。
【００３１】
この状態で、金属カバー１２１を介して、ねじ１０１をねじ穴３０３、３０４に螺合させて金属カバー１２１をカメラケース１１１に固定することによって、金属カバー１２１とともにドーム状カバー１２２をカメラケース１１１に固定することができる。この実施の形態においては、ねじ１０１、ねじ穴３０３、３０４によって固定手段を実現することができる。
【００３２】
カメラケース１１１には、レンズ３０２よりも外周側であって、ドーム状カバー１２２が備える鍔部３０５に対向する位置に、カメラケース溝３０６が設けられている。カメラケース溝３０６は、物体側から像面側に凹んでおり、光軸方向に沿って鍔部３０５の挿抜が可能とされている。また、カメラケース溝３０６は、光軸を中心とする環形状をなし、環の内径は鍔部３０５の内径寸法と略同一寸法とされ、環の外径は鍔部３０５の外径寸法と略同一寸法とされている。
【００３３】
これにより、カメラケース溝３０６に鍔部３０５を嵌め込むことによって、カメラケース１１１に対するドーム状カバー１２２の位置を、容易かつ確実に定めることができる。この実施の形態においては、カメラケース溝３０６によって位置決め部を実現することができる。
【００３４】
カメラケース溝３０６の深さ（光軸方向におけるカメラケース溝３０６の内側の寸法）は、鍔部３０５の厚み寸法（光軸方向における鍔部３０５の寸法）と略同一とされている。これにより、カメラケース溝３０６に嵌め込まれた鍔部３０５が、当該カメラケース溝３０６内でがたつくことを防止し、カメラケース１１１と金属カバー１２１とによってドーム状カバー１２２を確実に固定することができる。
【００３５】
光軸方向において、カメラケース溝３０６に挿入された状態の鍔部３０５とカメラケース溝３０６との間となる位置には、付勢部材５０１が設けられている。付勢部材５０１は、ドーム状カバー１２２に対して、当該ドーム状カバー１２２を光軸に沿って物体側に付勢する付勢力を作用させる。付勢部材５０１は、たとえば、ゴムなどの弾性部材によって実現することができる。
【００３６】
付勢部材５０１を設けることにより、鍔部３０５がカメラケース１１１と金属カバー１２１との間に挟持された状態で金属カバー１２１をカメラケース１１１に固定すると、付勢部材５０１の付勢力によって鍔部３０５が金属カバー１２１に当接する方向へ付勢される。これによって、カメラケース１１１と金属カバー１２１との間において鍔部３０５ががたつくことを防止し、カメラケース１１１と金属カバー１２１とによってドーム状カバー１２２を確実に固定することができる。
【００３７】
金属カバー１２１において突起受け部４０２の外周側には、伝熱柔軟部材４０１を設ける当接面部４０３が設けられている。当接面部４０３は、環形状をなしている。伝熱柔軟部材４０１は、金属カバー１２１の当接面部４０３の像面側の面に設けられ、金属カバー１２１がカメラケース１１１に固定された状態においてカメラケース１１１に当接する位置に設けられている。伝熱柔軟部材４０１は、たとえば、熱伝導性の良好なゲルシートなどによって実現することができる。
【００３８】
カメラケース１１１において、金属カバー１２１がカメラケース１１１に固定された状態において伝熱柔軟部材４０１に対向する位置は、ゲル当接面１１１ａとされている。ゲル当接面１１１ａは、金属材料を用いて形成されている。具体的には、ゲル当接面１１１ａは、たとえば、環形状をなす金属製の板を、カメラケース１１１における物体側の面に取り付けることによって実現することができる。あるいは、具体的には、ゲル当接面１１１ａは、たとえば、金属材料を、カメラケース１１１における物体側の面に蒸着させることによって実現されるものであってもよい。
【００３９】
ゲル当接面１１１ａは、たとえば、平滑な平面によって実現することができる。これによって、伝熱柔軟部材４０１とゲル当接面１１１ａとを密着させることができ、カメラケース１１１の熱を、ゲル当接面１１１ａに当接した伝熱柔軟部材４０１を介して、金属カバー１２１に確実に伝え、金属カバー１２１をヒートシンク（放熱部材）として放熱することができる。
【００４０】
あるいは、ゲル当接面１１１ａは、たとえば、複数の凹部あるいは凸部（いずれも図示を省略する）を設けることによる凹凸面によって実現してもよい。この場合、凹部あるいは凸部は、たとえば、伝熱柔軟部材４０１を実現するゲルシートの柔軟性などに応じて、ゲル当接面１１１ａ全体にわたって当該ゲル当接面１１１ａが伝熱柔軟部材４０１と密着可能な程度の凹みあるいは出っ張りとすることができる。これにより、凹凸面によりゲル当接面１１１ａが伝熱柔軟部材４０１との接触面積を増やし、カメラケース１１１の熱を、ゲル当接面１１１ａに当接した伝熱柔軟部材４０１を介して、金属カバー１２１に効率よく伝え、金属カバー１２１をヒートシンク（放熱部材）として放熱することができる。
【００４１】
このように、金属カバー１２１に設けた伝熱柔軟部材４０１を、金属材料によって形成されたゲル当接面１１１ａに当接させることにより、カメラケース１１１の前面（物体側の面）がドーム状カバー１２２によって覆われている場合にも、カメラケース１１１の熱を、金属カバー１２１をヒートシンクとして放熱することができる。
【００４２】
この実施の形態においては、伝熱柔軟部材４０１によって伝熱手段を実現することができる。また、この実施の形態において、伝熱手段は、伝熱柔軟部材４０１およびゲル当接面１１１ａによって実現されるものであってもよい。
【００４３】
この実施の形態以外に、その他の実施の形態として、伝熱柔軟部材４０１を設けることなく、金属カバー１２１をカメラケース１１１に固定した状態において、直接、金属カバー１２１の当接面部４０３をゲル当接面１１１ａに当接させることにより、カメラケース１１１の熱を、金属カバー１２１をヒートシンクとして放熱することができる。
【００４４】
図６において、符号ｄ１は、光軸に直交する平面におけるレンズ３０２の直径（外径）寸法を示している。また、図６において、符号ｄ２は、光軸に直交する平面において、カメラケース１１１に取り付けられた状態のレンズ３０２の最大画角を規定する仮想線（図５および図６における符号５００を参照）とドーム状カバー１２２の内面とが交差する位置がなす円の直径（ドーム状カバー１２２の内径）寸法を示している。
【００４５】
寸法ｄ１と寸法ｄ２とは、ｄ１≦ｄ２を満たす。また、寸法ｄ２は、寸法ｄ１に対して２倍以上とされる。これにより、ドーム状カバー１２２の曲率を、レンズ３０２の周辺解像度劣化が少なくなる程度の曲率とすることができる。
【００４６】
この発明にかかる実施の形態の監視用カメラ１００は、ドーム状カバー１２２を取り外して使用することが可能とされている。ドーム状カバー１２２の取り外しに際しては、まず、金属カバー１２１を介してカメラケース１１１に螺合されているねじ１０１を取り外し、カメラケース１１１から金属カバー１２１およびドーム状カバー１２２を取り外す。
【００４７】
図７、図８、図９および図１０は、この発明にかかる実施の形態の監視用カメラ１００の、ドーム状カバー１２２を取り外した状態を示す説明図である。図７においては、ドーム状カバー１２２を取り外した状態におけるこの発明にかかる実施の形態の監視用カメラ１００の斜視状態を示している。図８においては、ドーム状カバー１２２を取り外した状態におけるこの発明にかかる実施の形態の監視用カメラ１００を、図７における矢印Ｃ方向から見た状態を示している。図９においては、ドーム状カバー１２２を取り外した状態におけるこの発明にかかる実施の形態の監視用カメラ１００の、図８におけるＤ１−Ｄ１断面を示している。図１０においては、この発明にかかる実施の形態の監視用カメラ１００の、図８におけるＤ２−Ｄ２断面を示している。
【００４８】
図７、図８、図９および図１０において、このドーム状カバー１２２を取り外した状態の監視用カメラ１００は、カメラケース１１１が外部に露出している。これにより、カメラ本体１１０で発生した熱を、カメラケース１１１から外部に直接放熱することができる。
【００４９】
以上説明したように、この発明にかかる実施の形態の監視用カメラ１００は、レンズ３０２と、レンズ３０２によって取り込んだ外光を撮像する撮像素子と、ベース部を実現するカメラケース１１１と、開口部１２１ａを備えた金属カバー部を実現する金属カバー１２１と、金属カバー１２１部をカメラケース１１１に固定する固定手段としてのねじ１０１およびねじ穴３０３、３０４と、カメラケース１１１に固定された状態の金属カバー１２１によって当該カメラケース１１１に固定されるドームカバーを実現するドーム状カバー１２２と、を備え、カメラケース１１１を、金属カバー１２１を固定した状態において当該金属カバー１２１部に当接するように配置し、当該金属カバー１２１との当接部分を少なくとも金属によって形成したことを特徴としている。
【００５０】
この発明にかかる実施の形態の監視用カメラ１００によれば、カメラケース１１１と金属カバー１２１との間にドーム状カバー１２２の鍔部３０５を挟み込んだ状態で、当該金属カバー１２１をねじ１０１によってカメラケース１１１に固定することにより、レンズ３０２をドーム状カバー１２２によって覆うことができる。レンズ３０２をドーム状カバー１２２によって覆った状態においては、カメラケース１１１と金属カバー１２１とが当接しているため、カメラケース１１１の熱を、金属カバー１２１に伝え、金属カバー１２１を介して外部に放熱することができる。
【００５１】
これにより、この発明にかかる実施の形態の監視用カメラ１００によれば、カメラの設置位置を問うことなく、高画素化に伴い、画像処理の容量増加により生じた熱を放出するとともに、放熱性能の低下に起因する画像処理性能の低下を抑制することができる。
【００５２】
また、この発明にかかる実施の形態の監視用カメラ１００は、カメラケース１１１が、ドーム状カバー１２２を取り付ける位置決め部としてのカメラケース溝３０６を備え、ドーム状カバー１２２をカメラケース１１１におけるカメラケース溝３０６に取り付けた状態で、金属カバー１２１を光軸に沿って物体側からカメラケース１１１に被せ、金属カバー１２１をカメラケース１１１に固定することにより、ドーム状カバー１２２の位置決めをおこなう位置決め手段としての鍔部３０５を備えたことを特徴としている。
【００５３】
この発明にかかる実施の形態の監視用カメラ１００によれば、ドーム状カバー１２２を取り付けてバンダル化する際に、カメラケース１１１に対するドーム状カバー１２２の適切な位置を定めることができ、かつ、適切な位置に定めた状態でドーム状カバー１２２を固定することができる。これにより、ドーム状カバー１２２を設けることにより画像が歪むなどの不具合が発生することを防止し、監視用カメラ１００の最大限の光学性能を発揮させることができる。
【００５４】
また、この発明にかかる実施の形態の監視用カメラ１００においては、さらに、鍔部３０５とカメラケース溝３０６とによって、カメラケース１１１に対するドーム状カバー１２２の位置を正確かつ確実に定めることができる。これにより、ドーム状カバー１２２を設けることにより画像が歪むなどの不具合が発生することを防止し、監視用カメラ１００の最大限の光学性能をより確実に発揮させることができる。
【００５５】
また、この発明にかかる実施の形態の監視用カメラ１００は、カメラケース溝３０６に設けられ、ドーム状カバー１２２を、光軸に沿って物体側に付勢する付勢手段としての付勢部材５０１を備えたことを特徴としている。
【００５６】
この発明にかかる実施の形態の監視用カメラ１００によれば、付勢部材５０１によって、ドーム状カバー１２２を光軸に沿って物体側に付勢することにより、カメラケース１１１と金属カバー１２１との間において鍔部３０５ががたつくことを防止することができる。これによって、ドーム状カバー１２２を安定して確実に固定することができる。
【００５７】
また、この発明にかかる実施の形態の監視用カメラ１００は、位置決め手段は、ドーム状カバー１２２に設けられて光軸を中心とする径方向に突出する突起部としての鍔部３０５と、金属カバー１２１の開口部１２１ａの外周側に設けられて鍔部３０５と当接する突起受け部４０２と、によって構成されることを特徴としている。
【００５８】
この発明にかかる実施の形態の監視用カメラ１００においては、鍔部３０５とカメラケース溝３０６とによって、金属カバー１２１に対するドーム状カバー１２２の位置を正確かつ確実に定めることができる。これにより、ドーム状カバー１２２の位置をより精度良く定め、ドーム状カバー１２２を設けることにより画像が歪むなどの不具合が発生することを防止し、監視用カメラ１００の最大限の画像処理性能を発揮させることができる。
【００５９】
また、この発明にかかる実施の形態の監視用カメラ１００においては、固定手段が、金属カバー１２１部およびカメラケース１１１に設けられたねじ穴３０３、３０４と、当該ねじ穴３０３、３０４に螺合されるねじ１０１と、によって構成されることを特徴としている。
【００６０】
この発明にかかる実施の形態の監視用カメラ１００によれば、簡易な構成によって、金属カバー１２１およびドーム状カバー１２２をカメラケース１１１に確実に取り付けることができる。これによって、設置後の監視用カメラ１００にドーム状カバー１２２を後付けする場合に作業者にかかる負担を軽減しつつ、金属カバー１２１およびドーム状カバー１２２をカメラケース１１１に確実に取り付けることができる。
【００６１】
また、この発明にかかる実施の形態の監視用カメラ１００は、伝熱手段を実現する伝熱柔軟部材４０１が、金属カバー１２１をねじ１０１によってカメラケース１１１に固定した状態において、像面側の端面および物体側の端面が、それぞれ、カメラケース１１１の物体側と金属カバー１２１の像面側とに当接するように配置され、カメラケース１１１における金属カバー１２１との当接部分が少なくとも金属によって形成されることを特徴としている。
【００６２】
すなわち、この発明にかかる実施の形態の監視用カメラ１００は、金属カバー１２１における像面側の面に伝熱柔軟部材４０１を設け、カメラケース１１１における金属カバー１２１（伝熱柔軟部材４０１）と対向する位置を金属材料を用いて形成されたゲル当接面１１１ａとしたことを特徴としている。
【００６３】
この発明にかかる実施の形態の監視用カメラ１００によれば、カメラケース１１１の熱を、ゲル当接面１１１ａに当接した伝熱柔軟部材４０１を介して、金属カバー１２１に確実に伝えることができるので、カメラケース１１１の熱を金属カバー１２１を介して外部に効率よく放熱することができる。
【産業上の利用可能性】
【００６４】
以上のように、この発明にかかるカメラは、レンズを保護するドーム状カバーを備えたカメラに有用であり、特に、天井などに設置して監視用途に用いられる監視用カメラに適している。
【符号の説明】
【００６５】
１００  監視用カメラ
１１０  カメラ本体
１１１  カメラケース
１２０  カバー部
１２１  金属カバー
１２２  ドーム状カバー
３０２  レンズ
３０３、３０４  ねじ穴
３０５  鍔部
３０６  カメラケース溝
４０３  当接面部
【図１】
2013148634.tif 000003
【図２】
2013148634.tif 000004
【図３】
2013148634.tif 000005
【図４】
2013148634.tif 000006
【図５】
2013148634.tif 000007
【図６】
2013148634.tif 000008
【図７】
2013148634.tif 000009
【図８】
2013148634.tif 000010
【図９】
2013148634.tif 000011
【図１０】
2013148634.tif 000012